(57)【要約】【課題】  例えキャビネットの形状が複雑な場合でもキャビネットに複数の部品を装着して容易に組み立てることができ、これを通じて作業の円滑化、簡素化、及び作業の効率化等を図ることのできる遊技機用治具を提供する。【解決手段】  遊技機を開閉するキャビネット３を、三次元ＣＡＤデータを用いて形成され、遊技機の機種に応じて形状が変更される機種依存キャビネット４と、遊技機の機種にかかわりなく共通の共通キャビネット６とから構成し、受け治具２０を、キャビネット３に対向するベース板２１と、ベース板２１に着脱自在に取り付けられ、機種依存キャビネット４を支持する第一のホルダ２３と、ベース板２１に取り付けられ、共通キャビネット６を支持する第二のホルダ２６とから構成する。そして、第一のホルダ２３を、三次元ＣＡＤデータを用いて機種依存キャビネット４の形状に対応するよう形成する。【選択図】  図３
2007097942.tif 000002
【特許請求の範囲】
【請求項１】
遊技機のキャビネットの組立時にキャビネットを受け治具に支持させる遊技機用治具であって、
キャビネットは、三次元ＣＡＤデータを用いて形成され、遊技機の機種に応じて形状が変更される機種依存部分を含み、
受け治具は、ベース材と、このベース材に着脱自在に取り付けられ、キャビネットの機種依存部分を支持する第一のホルダとを含み、この第一のホルダを、三次元ＣＡＤデータを用いて機種依存部分の形状に対応するよう形成したことを特徴とする遊技機用治具。
【請求項２】
キャビネットは、遊技機の機種に共通の共通部分を含み、
受け治具は、ベース材に取り付けられ、キャビネットの共通部分を支持する第二のホルダを含む請求項１記載の遊技機用治具。
【請求項３】
受け治具のベース材と第一のホルダの一方に複数の凹部を、他方には複数の凸部をそれぞれ設け、これら複数の凹部と凸部とを嵌め合わせるようにした請求項１又は２記載の遊技機用治具。
【発明の詳細な説明】
【技術分野】
【０００１】
本発明は、スロットマシン等からなる遊技機の製造時に使用される遊技機用治具に関するものである。
【背景技術】
【０００２】
スロットマシン等からなる遊技機は、その筐体の開口した正面にキャビネットが前後方向に開閉可能に軸支されるが、このキャビネットの裏面側（内側）には、複数の基板や上部スピーカ等からなる各種の部品が螺子により装着される。
このキャビネットに各種の部品を装着して組み立てる作業は、図示しない作業台上に複数枚のダンボールを積層して所定の厚さとし、この複数枚のダンボールにタオルを巻いてキャビネットを水平に寝かせ、その後、このキャビネットの裏面側に、複数の基板や上部スピーカ等を複数本の螺子により上方から螺着することにより行なわれる（特許文献１参照）。
【特許文献１】特開２００２‐１０８４２９号公報
【発明の開示】
【発明が解決しようとする課題】
【０００３】
キャビネットに各種の部品を装着して組み立てる従来の作業は、以上のように行なわれているので、キャビネットの形状が単純な場合には、特に支障を来たさないものの、キャビネットの形状が複雑な場合には、作業の煩雑化、複雑化、及び作業の非効率化を招くという問題がある。
【０００４】
すなわち、近年における遊技機のキャビネットは、遊技機の射幸性、趣味性、多様性等を向上させるべく、遊技機の機種に応じて形状が複雑に変更される機種依存キャビネットと、遊技機の機種に共通の共通キャビネットとを備え、複雑な傾斜面や湾曲面を有する機種依存キャビネットに、アニメーションや動物等を模したキャラクターを遊技に関連させて表示する液晶ユニットの装着されていることが少なくない。
【０００５】
したがって、係るキャビネットに複数の基板、上部スピーカ、及び液晶ユニット等からなる各種の部品を装着して組み立てる場合には、機種毎にダンボールの一部を切り欠いたり、対応する穴を空けなければ、キャビネット、特に凹凸を実質的に有する機種依存キャビネットを水平かつ安定に固定することができず、その結果、組立作業が煩雑化したり複雑化し、組立作業の効率が著しく悪化することとなる。
【０００６】
本発明は上記に鑑みなされたもので、例えキャビネットの形状が複雑な場合でもキャビネットに複数の部品を装着して容易に組み立てることができ、これを通じて作業の円滑化、簡素化、及び作業の効率化等を図ることのできる遊技機用治具を提供することを目的としている。
【課題を解決するための手段】
【０００７】
本発明においては上記課題を解決するため、遊技機のキャビネットの組立時にキャビネットを受け治具に支持させるものであって、
キャビネットは、三次元ＣＡＤデータを用いて形成され、遊技機の機種に応じて形状が変更される機種依存部分を含み、
受け治具は、ベース材と、このベース材に着脱自在に取り付けられ、キャビネットの機種依存部分を支持する第一のホルダとを含み、この第一のホルダを、三次元ＣＡＤデータを用いて機種依存部分の形状に対応するよう形成したことを特徴としている。
【０００８】
なお、キャビネットは、遊技機の機種に共通の共通部分を含み、
受け治具は、ベース材に取り付けられ、キャビネットの共通部分を支持する第二のホルダを含むことが好ましい。
また、受け治具のベース材と第一のホルダの一方に複数の凹部を、他方には複数の凸部をそれぞれ設け、これら複数の凹部と凸部とを嵌め合わせることが好ましい。
【０００９】
ここで、特許請求の範囲におけるキャビネットは、二分割や三分割等の複数に分割されるものでも良い。換言すれば、キャビネットの機種依存部分と共通部分とは、単数複数を特に問うものではない。キャビネットの共通部分と第二のホルダとは、三次元ＣＡＤデータを用いて形成されても良いし、そうでなくても良い。また、第一、第二のホルダも単数複数を特に問うものではない。第一のホルダは、キャビネットの上部に位置するものでも良いが、中央部や下部に位置するものでも良い。
【００１０】
遊技機は、パチンコ遊技機でも良いが、スロットマシン（パチスロ）でも良い。このスロットマシン（パチスロ）には、ＡタイプやＢタイプ等があるが、可変表示装置に表示した複数の識別情報をそれぞれ変動させた後に停止させ、この停止した複数の識別情報の組み合わせが予め定められた当選の組み合わせであるときには、通常遊技状態から遊技者に有利な特別遊技状態に移行する機器であれば、いずれのタイプでも良い。
【発明の効果】
【００１１】
本発明によれば、例え遊技機のキャビネット、特にキャビネットにおける機種依存部分の形状が複雑な場合でも、受け治具の第一のホルダがキャビネットの機種依存部分を支持するので、姿勢の安定したキャビネットに複数の部品を装着して容易に組み立てることができる。したがって、製造作業の円滑化、簡素化、及び作業の効率化等を図ることができるという効果がある。また、機種依存部分を形成した際の三次元ＣＡＤデータの面データを利用して第一のホルダを形成するので、機種依存部分と第一のホルダとを適切に面接触させ、位置ずれやがたつきを防ぐことができる。
【００１２】
また、受け治具の第二のホルダにキャビネットの共通部分を支持させれば、作業毎に共通部分に対応するホルダを製造したり、交換する必要がなく、受け治具やホルダの保管が容易となる。
【００１３】
さらに、受け治具のベース材と第一のホルダの一方に複数の凹部を、他方には複数の凸部をそれぞれ設け、これら複数の凹部と凸部とを着脱自在に嵌め合わせれば、キャビネットの機種依存部分に応じてベース材に第一のホルダを取り付けたり、取り外す作業が容易になり、しかも、第一のホルダの位置ずれを抑制することもできる。
【発明を実施するための最良の形態】
【００１４】
以下、図面を参照して本発明の好ましい実施の形態を説明すると、本実施形態における遊技機用治具は、図１ないし図４に示すように、スロットマシンからなる遊技機１を開閉するキャビネット３の組立時にキャビネット３を受け治具２０に支持させるものであって、キャビネット３を、機種依存キャビネット４と共通キャビネット６とから構成し、受け治具２０を、ベース板２１、左右一対の第一のホルダ２３、及び第二のホルダ２６から構成するようにしている。
【００１５】
遊技機１は、図１に示すように、サンドと呼ばれている遊技用のコイン貸出機に隣接する縦長の筐体２と、この筐体２に着脱可能に収納されるメインユニットと、これら筐体２やメインユニットの抽選用のリール装置等に電力を供給する電源ユニットと、この電源ユニットからコネクタ等を介し電力を供給されて全体を制御する制御装置とを備え、遊技店の一ブロックであるシマに設置されている。筐体２は、正面の開口したフロントオープンボックス構造に構成され、開口した正面がキャビネット３に開閉される。
【００１６】
キャビネット３の機種依存キャビネット４と共通キャビネット６とは、それぞれ三次元ＣＡＤデータを用いて形成されている。この機種依存キャビネット４と共通キャビネット６の一部は図３に示すように、相互に重なった積層状態で受け治具２０に水平に支持され、図示しない複数の基板や上部スピーカ等が複数本の螺子により上方から螺着される。
【００１７】
機種依存キャビネット４は、図１に示すように、複雑な傾斜面や湾曲面を有する横長に形成され、筐体２の正面における最上部に取り外し可能に装着されるとともに、遊技機１の機種に応じて形状が変更されたり、交換される。この凹凸を実質的に有する機種依存キャビネット４は、その中央部に横長の装着口が矩形に形成され、この装着口には、キャラクターを遊技に関連させて表示する大型の液晶ユニット５が裏面側から装着されている。
【００１８】
共通キャビネット６は、図１に示すように、機種依存キャビネット４の下部に重なった積層状態で螺着される横長の上部共通キャビネット７と、筐体正面の下半分を覆う横長の下部共通キャビネット９とを備えて構成されている。上部共通キャビネット７は、機種依存キャビネット４よりも大きく形成され、中央部に、リール装置の複数のリールを視認可能に露出させる窓８が横長の矩形に形成されている。
【００１９】
下部共通キャビネット９は、上部共通キャビネット７よりも大きく形成され、下部には、当選時にコインを払い出す払出口１０や灰皿付きのコインカップ１１が配設されており、下部共通キャビネット９の上部には、遊技者がコインを投入するコイン投入口１２と操作ユニット１３が配設されている。
【００２０】
受け治具２０のベース板２１は、図３や図４に示すように、入手の容易性、衝撃強さ、寸法安定性、加工性等に優れるＡＢＳ樹脂や木材等の材料を使用して矩形の平坦な板に形成され、機種依存キャビネット４と上部共通キャビネット７に隙間をおいて対向する。この長方形を呈するベース板２１のキャビネット３に対向する対向面の上部両側には、第一のホルダ２３用の嵌合孔２２が上下一対高精度に穿孔されている。
【００２１】
各第一のホルダ２３は、図２ないし図４に示すように、ＡＢＳ樹脂や発泡スチロール等の材料を使用して縦長の角柱形に形成され、ベース板２１の対向面上側部に着脱自在に装着されており、機種依存キャビネット４の表面側部に面接触して支持する。この第一のホルダ２３には、ベース板２１の一対の嵌合孔２２にそれぞれ着脱自在に嵌合する嵌合ピン２４が上下一対高精度に突出形成され、これら嵌合孔２２と嵌合ピン２４との嵌合により、組立作業時における第一のホルダ２３の位置ずれが有効に規制される。
【００２２】
第一のホルダ２３における機種依存キャビネット４の表面側部に面接触する接触面２５は、キャビネット３の形成に使用された三次元ＣＡＤデータ、特にその曲面データを用いた各種工作機械（例えば、研削盤や旋盤等）により、傷防止等の観点から０．２〜０．５ｍｍオフセットした状態で機種依存キャビネット４の表面形状に対応するよう切削加工されている。
【００２３】
第二のホルダ２６は、図２や図３に示すように、ＡＢＳ樹脂や発泡スチロール等の材料を使用して横長の角柱形に形成され、ベース板２１の対向面下部に水平に固定されており、共通キャビネット６、換言すれば、上部共通キャビネット７の表面下部に面接触して支持する。この第二のホルダ２６における上部共通キャビネット７に面接触する接触面は、キャビネット３の形成に使用された三次元ＣＡＤデータ、特にその曲面データを用いた各種工作機械により加工されている。
【００２４】
上記において、キャビネット３に各種の部品を装着して組み立てる場合には、受け治具２０のベース板２１に、遊技機１の機種に対応する一対の第一のホルダ２３を装着して寝かせ、この受け治具２０上に、機種依存キャビネット４と上部共通キャビネット７の一部とを重ねて支持させ、これら機種依存キャビネット４と上部共通キャビネット７の内側に複数の基板や上部スピーカ等を複数本の螺子により上方から螺着すれば良い（図３、図４参照）。
【００２５】
この際、受け治具２０が機種依存キャビネット４と上部共通キャビネット７の一部とを点接触ではなく、面接触により水平に支持するので、螺子を上方から強く螺着しても機種依存キャビネット４や上部共通キャビネット７が上下方向に傾くことがない。したがって、位置ずれを招くことなく安定した螺子締め作業が期待できる。
【００２６】
上記によれば、第一のホルダ２３における機種依存キャビネット４の表面側部に面接触する接触面２５を既にキャビネット３の形成に使用された三次元ＣＡＤデータを用いて対向加工するので、例えキャビネット３の機種依存キャビネット４が複雑な形状でも、機種毎にダンボールの一部を切り欠いたり、対応する穴を空けることなく、機種依存キャビネット４を水平かつ安定に固定することができる。したがって、組立作業の円滑化、迅速化、容易化を図ることができ、組立作業の効率を著しく向上させることができる。
【００２７】
また、第一のホルダ２３が機種依存キャビネット４の中央部ではなく、表面側部に面接触するので、液晶ユニット５の損傷を何ら招くことがない。また、第一のホルダ２３が強固で硬質のＡＢＳ樹脂等を使用して形成されるので、例え遊技機１の量産（例えば、１日３０００台以上）に使用される場合でも、寸法にずれが生じたり、撓んだり沈下することがない。
【００２８】
さらに、第一のホルダ２３を発泡スチロールや弾性樹脂等の弾性材料を使用して角柱形に形成した場合には、ドライバーにより螺子を螺子締めする際、ドライバーの作業方向からの圧力を吸収、減衰することができる。したがって、機種依存キャビネット４と上部共通キャビネット７に必要以上の負荷が作用しないので、組み立て作業中の面接触部分の破損、変形を大幅に低減することが可能になる。
【００２９】
次に、図５ないし図７は本発明の第２の実施形態を示すもので、この場合には、遊技機１の機種変更に伴い機種依存キャビネット４が変更された場合に、受け治具２０の第一のホルダ２３を、遊技機１の機種変更に応じて変更するようにしている。
【００３０】
第一のホルダ２３は、機種依存キャビネット４の表面側部に面接触する接触面２５がキャビネット３の形成に使用された三次元ＣＡＤデータを用いて加工されている。その他の部分については上記実施形態と同様であるので説明を省略する。
本実施形態おいても上記実施形態と同様の作用効果が期待でき、機種依存キャビネット４が変更されても、受け治具２０の第一のホルダ２３が対応して面接触するので、機種依存キャビネット４を水平かつ安定に固定することができるのは明らかである。
【００３１】
次に、図８ないし図１０は本発明の第３の実施形態を示すもので、この場合には、遊技機１のさらなる機種変更に伴い機種依存キャビネット４が変更された場合に、受け治具２０の第一のホルダ２３を、遊技機１の機種変更に応じて変更するようにしている。その他の部分については上記実施形態と同様であるので説明を省略する。
本実施形態おいても上記実施形態と同様の作用効果が期待でき、機種依存キャビネット４を水平かつ安定に固定することができるのは明らかである。
【００３２】
なお、上記実施形態ではベース板２１に一対の嵌合孔２２を、第一のホルダ２３に一対の嵌合ピン２４をそれぞれ形成したが、何らこれに限定されるものではない。例えば、ベース板２１に複数の嵌合ピン２４を、第一のホルダ２３に複数の嵌合孔２２をそれぞれ形成しても良い。また、受け治具２０のベース板２１を多角形、三角形、円形、楕円形等に形成しても良い。さらに、第一のホルダ２３や第二のホルダ２６をＣ字形、Ｈ字形、Ｌ字形、Ｕ字形等に形成することも可能である。
【図面の簡単な説明】
【００３３】
【図１】本発明に係る遊技機用治具の実施形態における遊技機を示す斜視説明図である。
【図２】本発明に係る遊技機用治具の実施形態における受け治具にキャビネットを支持させた状態を示す説明図である。
【図３】本発明に係る遊技機用治具の実施形態における受け治具にキャビネットを支持させて組み立てる状態を示す説明図である。
【図４】図３の正面図である。
【図５】本発明に係る遊技機用治具の第２の実施形態における遊技機を示す斜視説明図である。
【図６】本発明に係る遊技機用治具の第２の実施形態における機種依存キャビネットを示す斜視説明図である。
【図７】本発明に係る遊技機用治具の第２の実施形態における受け治具にキャビネットを支持させて組み立てる状態を示す説明図である。
【図８】本発明に係る遊技機用治具の第３の実施形態における遊技機を示す斜視説明図である。
【図９】本発明に係る遊技機用治具の第３の実施形態における機種依存キャビネットを示す斜視説明図である。
【図１０】本発明に係る遊技機用治具の第３の実施形態における受け治具にキャビネットを支持させて組み立てる状態を示す説明図である。
【符号の説明】
【００３４】
１          遊技機
２          筐体
３          キャビネット
４          機種依存キャビネット（機種依存部分）
６          共通キャビネット（共通部分）
７          上部共通キャビネット
８          下部共通キャビネット
２０        受け治具
２１        ベース板（ベース材）
２２        嵌合孔（凹部）
２３        第一のホルダ
２４        嵌合ピン（凸部）
２５        接触面
２６        第二のホルダ
【図１】
2007097942.tif 000003
【図２】
2007097942.tif 000004
【図３】
2007097942.tif 000005
【図４】
2007097942.tif 000006
【図５】
2007097942.tif 000007
【図６】
2007097942.tif 000008
【図７】
2007097942.tif 000009
【図８】
2007097942.tif 000010
【図９】
2007097942.tif 000011
【図１０】
2007097942.tif 000012